(57)【要約】【課題】長期間に亘って確実に動作させることができ、しかも施工が簡単でコンパクト化が可能な給水装置を提供する。【解決手段】水路等の水源に設けられた取水口Ｑに流入口Ｐ１が接続されて、水源の水を吐出口Ｐ２から耕作地に吐出する導水管Ｐと、導水管Ｐを収容するケーシング１０と、導水管Ｐにおける流入口Ｐ１よりも吐出口Ｐ２側に設定された被支持部Ｐ３を支持する昇降部材２０と、昇降部材２０を昇降させて、吐出口Ｐ２から水が吐出される給水位置Ａ及び給水位置Ａよりも上方の止水位置Ｂの間で被支持部Ｐ３を上下動させるアクチュエータ３０とを具備し、アクチュエータ３０が、ケーシング１０に設けられているようにした。【選択図】図２
2018093864.tif 000002
【特許請求の範囲】
【請求項１】
水路等の水源に設けられた取水口に流入口が接続されて、前記水源の水を吐出口から耕作地に吐出する導水管と、
前記導水管を収容するケーシングと、
前記導水管における前記流入口よりも前記吐出口側に設定された被支持部を支持する昇降部材と、
前記昇降部材を昇降させて、前記吐出口から水が吐出される給水位置及び前記給水位置よりも上方の止水位置の間で前記被支持部を上下動させるアクチュエータとを具備し、
前記アクチュエータが、前記ケーシングに設けられている給水装置。
【請求項２】
前記ケーシングに設けられた回転軸周りに回転するとともに、前記回転軸から変位した位置に前記昇降部材が取り付けられたアーム部材をさらに具備し、
前記アクチュエータが、前記アーム部材を回転させて前記昇降部材を昇降させる請求項１記載の給水装置。
【請求項３】
前記アーム部材が、支点箇所を中心に回転するとともに、作用点箇所に前記昇降部材が取り付けられたものであり、
前記アクチュエータが、前記アーム部材の前記支点箇所及び前記作用点箇所の間に設定された力点箇所に接続された伸縮部材を有している請求項２記載の給水装置。
【請求項４】
前記力点箇所が、前記作用点箇所及び前記支点箇所よりも上方に位置しており、
前記伸縮部材が、前記ケーシングに設けられた回転軸周りに回転しながら伸縮する請求項３記載の給水装置。
【請求項５】
水路等の水源に設けられた取水口に流入口が接続されて、前記水源の水を吐出口から耕作地に吐出する導水管を収容するケーシングと、
前記導水管における前記流入口よりも前記吐出口側に設定された被支持部を支持する昇降部材と、
前記昇降部材を昇降させて、前記吐出口から水が吐出される給水位置及び前記給水位置よりも上方の止水位置の間で前記被支持部を上下動させるアクチュエータとを具備し、
前記アクチュエータが、前記ケーシングに設けられている給止水切替機構。
【発明の詳細な説明】
【技術分野】
【０００１】
本発明は、例えば用水路の水を水田などの耕作地に供給する給水装置及びこの給水装置に用いられる給止水切替機構に関するものである。
【背景技術】
【０００２】
この種の給水装置としては、用水路に設けられた取水口に流入口が接続されて、用水路の水を吐出口から吐出する導水管を備え、この導水管に設けたシャッターバルブを制御することで給水と止水とを切替可能に構成されたものがある。
【０００３】
また、シャッターバルブを用いない別の構成としては、特許文献１に示すように、上述した導水管にロープを取り付け、このロープを水田に打ち込んだ支柱の上方に設けたモータで巻き上げるように構成されたものがある。このような構成であれば、導水管の吐出口を用水路の水面よりも低くすることで吐出口から水が吐出され、吐出口を用水路の水面よりも高くすることで止水される。
【０００４】
ところが、前者の構成では、シャッターバルブが用水路に流れる雑草などを噛み込むと正常に作動しなくなり、給水と止水とを確実に切り替えることができなくなる場合がある。
【０００５】
一方、後者の構成では、経年使用に伴って支柱にずれや傾きが生じがちであり、その結果、導水管の吐出口を用水路の水面よりも上方に引き上げることができなくなるなどして、動作不良を引き起こすことがある。
さらに、この構成では、支柱を打ち込む必要があるなど、装置の施工が大変になるうえ、装置としても大掛かりになるといった問題もある。
【先行技術文献】
【特許文献】
【０００６】
【特許文献１】特開２００２−３３０６４７号公報
【発明の概要】
【発明が解決しようとする課題】
【０００７】
そこで本発明は、上記問題点を解決すべくなされたものであって、長期間に亘って確実に動作させることができ、しかも施工が簡単でコンパクト化が可能な給水装置を提供することをその主たる課題とするものである。
【課題を解決するための手段】
【０００８】
すなわち本発明に係る給水装置は、水路等の水源に設けられた取水口に流入口が接続されて、前記水源の水を吐出口から耕作地に吐出する導水管と、前記導水管を収容するケーシングと、前記導水管における前記流入口よりも前記吐出口側に設定された被支持部を支持する昇降部材と、前記昇降部材を昇降させて、前記吐出口から水が吐出する給水位置及び前記給水位置よりも上方の止水位置の間で前記被支持部を上下動させるアクチュエータとを具備し、前記アクチュエータが、前記ケーシングに設けられていことを特徴とするものである。
【０００９】
このように構成された給水装置であれば、動作不良を起こし得るシャッターバルブや傾きやずれなどが生じがちな支柱を用いていないので、長期間に亘って確実に動作させることができる。しかも支柱を打ち込む作業を不要にすることができるので施工が簡単であるうえ、アクチュエータをケーシングに設けているのでコンパクト化が可能である。
【００１０】
導水管にロープを取り付けて引き上げる従来の構成よりも装置全体を高さ方向にコンパクト化するためには、前記ケーシングに設けられた回転軸周りに回転するとともに、前記回転軸から変位した位置に前記昇降部材が取り付けられたアーム部材をさらに具備し、前記アクチュエータが、前記アーム部材を回転させて前記昇降部材を昇降させる構成が好ましい。
【００１１】
前記アーム部材が、支点箇所を中心に回転するとともに、作用点箇所に前記昇降部材が取り付けられたものであり、前記アクチュエータが、前記アーム部材の前記支点箇所及び前記作用点箇所の間に設定された力点箇所に接続された伸縮部材を有していることが好ましい。
このような構成であれば、力点箇所が支点箇所及び作用点箇所の間に設定されているので、アーム部材を回転させる際における作用点箇所の移動量よりも力点箇所の移動量が小さくなり、この力点箇所に伸縮部材を接続しているので、給水と止水とを切り替える際の伸縮部材のストローク量を少なくすることができる。
【００１２】
より具体的な実施態様としては、前記力点箇所が、前記支点箇所及び前記作用点箇所よりも上方に位置しており、前記伸縮部材が、前記ケーシングに設けられた回転軸周りに回転しながら伸縮する構成が挙げられる。
【００１３】
また、本発明に係る給止水切替機構は、水路等の水源に設けられた取水口に流入口が接続されて、前記水源の水を吐出口から耕作地に吐出する導水管を収容するケーシングと、前記導水管における前記流入口よりも前記吐出口側に設定された被支持部を支持する昇降部材と、前記昇降部材を昇降させて、前記吐出口から水が吐出される給水位置及び前記給水位置よりも上方の止水位置の間で前記被支持部を上下動させるアクチュエータとを具備し、前記アクチュエータが、前記ケーシングに設けられていることを特徴とするものである。
このような給止水切替機構であれば、上述した給水装置と同様の作用効果を発揮させることができる。
【発明の効果】
【００１４】
このように構成した本発明によれば、長期間に亘って確実に動作させることができ、しかも施工が簡単でコンパクト化が可能な給水装置を提供することができる。
【図面の簡単な説明】
【００１５】
【図１】本実施形態の給水装置の使用状態を模式的に示す図。
【図２】同実施形態の給水装置の給水状態における構成を模式的に示す図。
【図３】同実施形態の給水装置の止水状態における構成を模式的に示す図。
【図４】変形実施形態の給水装置の使用状態を模式的に示す図。
【図５】変形実施形態の給水装置の使用状態を模式的に示す図。
【図６】変形実施形態の給水装置の使用状態を模式的に示す図。
【図７】変形実施形態の給水装置の使用状態を模式的に示す図。
【発明を実施するための形態】
【００１６】
以下に本発明に係る給水装置の一実施形態について図面を参照して説明する。
【００１７】
本実施形態に係る給水装置１００は、図１に示すように、例えば開水路Ｌなどの水源と水田Ｚなどの耕作地との間に配置されて開水路Ｌの用水を水田Ｚに供給するものである。なお、開水路Ｌは、用水が流れる用水路の一種であり、水位（水面）が変動する水路である。
【００１８】
具体的にこの給水装置１００は、図１に示すように、導水管Ｐと、導水管Ｐの一部を昇降させることで給水と止水とを切り替える給止水切替機構１０１とを具備する。
【００１９】
導水管Ｐは、開水路Ｌに設けられた取水口Ｑに流入口Ｐ１が接続されて、開水路Ｌの用水を吐出口Ｐ２から水田Ｚに吐出するものである。
なお、ここでの取水口Ｑは、例えば開水路Ｌの畦に埋設された配管の開口である。
【００２０】
給止水切替機構１０１は、図２及び図３に示すように、導水管Ｐを収容するケーシング１０と、導水管Ｐを支持する昇降部材２０と、昇降部材２０を昇降させるアクチュエータ３０とを備えている。
【００２１】
ケーシング１０は、導水管Ｐを収容する収容空間Ｓが形成された長尺状のものであり、長手方向が開水路Ｌに直交するように配置される。具体的にこのケーシング１０は、例えばステンレスなどの金属からなり、底板１１と、導水管Ｐを挟むように底板１１から起立する一対の側板１２とを有し、底板１１及び一対の側板１２に囲まれた空間が前記収容空間Ｓとして形成されている。
【００２２】
ここでの側板１２は、その上端部に形成されたフランジ部１３を有している。
フランジ部１３は、側板１２の上端部においてケーシング１０の幅方向外側に折り曲げられた第１フランジ部１３１と、この第１フランジ部１３１の外端部から上方に折り曲げられた第２フランジ部１３２とからなる。
【００２３】
昇降部材２０は、導水管Ｐの流入口Ｐ１よりも吐出口Ｐ２側の一部（以下、被支持部Ｐ３という）を支持するものであり、ここでは図１に示すように、導水管Ｐの吐出口Ｐ２側の端部を被支持部Ｐ３としている。この昇降部材２０は、被支持部Ｐ３を下方から支持する支持面２１を有しており、ケーシング１０の長手方向から視てＵ字状をなす。支持面２１は、ここでは導水管Ｐの外周面に沿うように湾曲させた湾曲面としてある。
【００２４】
本実施形態の給止水切替機構１０１は、図２及び図３に示すように、ケーシング１０に設けられた回転軸周りに回転するとともに、この回転軸から変位した位置に昇降部材２０が取り付けられたアーム部材４０をさらに備えている。
【００２５】
このアーム部材４０は、ケーシング１０の長手方向に沿って延び、一端部に設定された作用点箇所４１に昇降部材２０が取り付けられ、他端部に設定された支点箇所４２に回転軸となる第１軸部材Ｘ１が貫通しており、支点箇所４２を中心に作用点箇所４１が回転する。ここでは、一対のアーム部材４０を設けてあり、各アーム部材４０それぞれの作用点箇所４１に昇降部材２０の支持面２１よりも上側を取り付けてある。
【００２６】
より具体的に説明すると、アーム部材４０の作用点箇所４１に貫通孔ｈ１を形成するとともに、昇降部材２０の支持面２１よりも上側に貫通孔ｈ２を形成しており、アーム部材４０の貫通孔ｈ１と昇降部材２０の貫通孔ｈ２とを重ね合わせた状態で、これらの貫通孔ｈ１、ｈ２にケーシング１０の長手方向と直交する第２軸部材Ｘ２を貫通させている。これにより、昇降部材２０は、第２軸部材Ｘ２を回転軸として回転可能な状態でアーム部材４０の作用点箇所４１に取り付けられる。
なお、貫通孔ｈ１、ｈ２は、高さ方向に沿って複数形成されており、第２軸部材Ｘ２を貫通させる貫通孔ｈ１、ｈ２を変更することで、昇降部材２０の高さを変更可能としてある。
【００２７】
一方、アーム部材４０の支点箇所４２に貫通させた第１軸部材Ｘ１は、ケーシング１０の長手方向と直交する向きに延びており、ケーシング１０を構成する一対の側板１２それぞれに形成した貫通孔ｈ３に貫通させている。これにより、アーム部材４０は、第１軸部材Ｘ１を回転軸として回転可能な状態でケーシング１０に取り付けられる。
なお、ここでの貫通孔ｈ３は、ケーシング１０の長手方向に沿ってフランジ部１３（具体的には第２フランジ部１３２）に複数形成されており、第１軸部材Ｘ１を貫通させる貫通孔ｈ３を変更することで、ケーシング１０の長手方向に沿った昇降部材２０の位置、すなわち昇降部材２０の水田Ｚからの距離を変更可能としてある。
【００２８】
アクチュエータ３０は、図１に示すように、昇降部材２０を昇降させることで、導水管Ｐの被支持部Ｐ３を吐出口Ｐ２から水が吐出される給水位置Ａ及び給水位置Ａよりも上方の止水位置Ｂの間で上下動させるものである。
なお、給水位置Ａは開水路Ｌの水面よりも導水管Ｐの吐出口Ｐ２が低くなる位置であり、止水位置Ｂは開水路Ｌの水面よりも導水管Ｐの吐出口Ｐ２が高くなる位置である。
【００２９】
本実施形態ではアクチュエータ３０が、ケーシング１０に取り付けられている。より具体的にこのアクチュエータ３０は、ケーシング１０に設けられた第３軸部材Ｘ３を介してケーシング１０に取り付けられており、第３軸部材Ｘ３を回転軸として回転可能に設けられている。
【００３０】
第３軸部材Ｘ３は、上述した第１軸部材Ｘ１と同様、ケーシング１０の長手方向と直交する方向に延びており、側板１２（具体的には第２フランジ部１３２）に形成された貫通孔ｈ４を貫通している。
なお、ここでの貫通孔ｈ４は、ケーシング１０の長手方向に沿って第２フランジ部１３２に複数形成されており、第３軸部材Ｘ３を貫通させる貫通孔ｈ４を変更することで、ケーシング１０の長手方向に沿ったアクチュエータ３０の位置を変更可能としてある。
【００３１】
アクチュエータ３０の具体的な構成としては、直線方向に伸縮可能な伸縮部材３１を有するものであり、ここでは伸縮部材３１を伸縮させるモータを備えた電動シリンダである。
【００３２】
伸縮部材３１は、上述した第３軸部材Ｘ３に対して伸縮可能なものであり、図１に示すように、伸張した伸張位置ａと、伸張位置ａから縮んだ収縮位置ｂの間で移動する。この伸縮部材３１は、アーム部材４０の作用点箇所４１及び支点箇所４２の間に設定された力点箇所４３に接続されている。
【００３３】
より具体的に説明すると、本実施形態のアーム部材４０は、上側に突出したアーチ状をなしており、力点箇所４３は、作用点箇所４１及び支点箇所４２よりも上方に位置している。そして、一対のアーム部材４０それぞれの力点箇所４３間に第４軸部材Ｘ４を架け渡し、この第４軸部材Ｘ４を伸縮部材３１の先端部に貫通させることで伸縮部材３１とアーム部材４０の力点箇所４３とを接続している。
【００３４】
上述した構成により、力点箇所４３に接続された伸縮部材３１を伸縮させることで、アーム部材４０が支点箇所４２を中心として回転する。これにより、アーム部材４０の作用点箇所４１に取り付けられた昇降部材２０がアーム部材４０と連動して回転し、導水管Ｐの被支持部Ｐ３が給水位置Ａと止水位置Ｂとの間を移動する。
【００３５】
次に、本実施形態の給水装置１００の動作について説明する。
なお、給水装置１００による給止水は、図示しない制御装置により制御されており、具体的には、水田Ｚに設けられた図示しない水位センサの検出水位に基づいて給止水を切り替える方法や、予め設定された時間間隔や時刻に基づいて給止水を切り替える方法や、無線を用いた遠隔操作などにより給止水を切り替える方法などが挙げられる。
【００３６】
まず、給水装置１００が水田Ｚに給水を行っていない止水状態にあるとする。
この状態から開水路Ｌの用水を水田Ｚに供給する場合、図示しない制御装置が給水開始信号をアクチュエータ３０に送信し、アクチュエータ３０の伸縮部材３１を収縮位置ｂから伸張位置ａに向かって伸張させる。そうすると、伸縮部材３１の伸張に連動して、アクチュエータ３０が第３軸部材Ｘ３周りに回転するとともに、昇降部材２０が第１軸部材Ｘ１周りに回転する。これにより、導水管Ｐの被支持部Ｐ３が止水位置Ｂから給水位置Ａに向かって移動して、被支持部Ｐ３や吐出口Ｐ２が開水路Ｌの水面よりも下方に下がり、給水が開始される。
【００３７】
次に、給水を停止する場合、図示しない制御装置が給水停止信号をアクチュエータ３０に送信し、アクチュエータ３０の伸縮部材３１を伸張位置ａから収縮位置ｂに向かって収縮させる。そうすると、伸縮部材３１の収縮に連動して、アクチュエータ３０が第３軸部材Ｘ３周りに回転するとともに、昇降部材２０が第１軸部材Ｘ１周りに回転する。これにより、導水管Ｐの被支持部Ｐ３が給水位置Ａから止水位置Ｂに向かって移動して、被支持部Ｐ３や吐出口Ｐ２が開水路Ｌの水面よりも上方に上がり、給水が停止される。
【００３８】
本実施形態の給水装置１００は、図１に示すように、導水管Ｐの被支持部Ｐ３が止水位置Ｂにある状態において、昇降部材２０が被支持部Ｐ３を潰すように構成されている。
【００３９】
より詳細に説明すると、ここでは導水管Ｐとして、例えばビニールホースなどの容易に変形する柔軟な材質からなり、内部を流れる水量に応じて変形するものを用いている。これにより、導水管Ｐの被支持部Ｐ３が給水位置Ａにある給水状態では、導水管Ｐを流れる用水の内圧で導水管Ｐはその形状が管状に維持される。
【００４０】
一方、導水管Ｐの被支持部Ｐ３が給水位置Ａから止水位置Ｂに向かって移動すると、導水管Ｐを流れる水量は徐々に減少するので、導水管Ｐの内圧が低下して導水管Ｐが変形する。
そして、被支持部Ｐ３が止水位置Ｂに到達した際には、導水管Ｐの被支持部Ｐ３よりも吐出口Ｐ２側が昇降部材２０から垂れ下がり、被支持部Ｐ３は昇降部材２０の縁によって潰されて、導水管Ｐの内部流路が塞がれた状態になる。
これにより、例えば降水量の多い日の後など、仮に導水管Ｐの吐出口Ｐ２よりも用水路の水面がやや上方に位置したとしても止水することが可能となる。
【００４１】
このように構成された本実施形態に係る給水装置１００によれば、動作不良を起こし得るシャッターバルブや傾きやずれなどが生じがちな支柱を用いていないので、長期間に亘って確実に動作することができる。しかも支柱を打ち込む作業を不要にすることができるので施工が簡単であるうえ、アクチュエータ３０をケーシング１０に設けているので装置全体を高さ方向にコンパクト化することができる。
【００４２】
また、アーム部材４０に接続した伸縮部材３１を伸縮させることで導水管Ｐの被支持部Ｐ３を給水位置Ａと止水位置Ｂとの間で移動させることができるので、従来のように導水管にロープを取り付けて引き上げる構成に比べて装置全体を高さ方向にコンパクト化を図れる。
【００４３】
さらに、アーム部材４０の作用点箇所４１及び支点箇所４２の間に設定した力点箇所４３に伸縮部材３１を接続しているので、導水管Ｐを給水位置Ａと止水位置Ｂとの間で移動させる際における伸縮部材３１のストローク量を少なくすることができ、アクチュエータ３０の小型化を図れる。
【００４４】
加えて、昇降部材２０が導水管Ｐを下方から支持するので、導水管Ｐの被支持部Ｐ３を給水位置Ａから止水位置Ｂに移動させる際は、導水管Ｐを上方から引き上げるのではなく、下方から持ち上げることになる。これにより、導水管Ｐとしてビニールホースのような柔らかい材質のものを用いたとしても、導水管Ｐを破損させずに止水位置へ移動させることができる。これにより、導水管Ｐとして安価で扱い易いものを用いることができ、導水管Ｐの取り付け時や取り外し時などの作業性の向上や、コストの削減を図れる。
【００４５】
なお、本発明は前記実施形態に限られるものではない。
【００４６】
例えば、導水管Ｐは、ビニールホースに限らず、ゴムなどの変形可能なものや、蛇腹などの可撓性を有するものであっても良い。
また、導水管Ｐは、必ずしも前記実施形態のように潰される必要はなく、図４に示すように、止水状態において、内部流路が潰されることなく吐出口Ｐ２が開水路Ｌの水面よりも上方に位置するものであっても良い。
【００４７】
ケーシング１０は、前記実施形態では金属製の長尺状をなすものであったが、材質は樹脂などであっても良いし、形状は必ずしも長尺状である必要はない。
また、前記実施形態のケーシング１０は、側板１２の上端部にフランジ部１３が設けられていたが、ケーシング１０としては必ずしもフランジ部１３が設けられている必要はない。
【００４８】
昇降部材２０は、前記実施形態では導水管Ｐを下方から支持するものであったが、例えばロープなどを用いて上方から支持するように構成されたものであっても良い。この場合、ロープのうち導水管Ｐに取りつけられた部分が昇降部材である。
また、前記実施形態の昇降部材２０は、導水管Ｐの吐出口Ｐ２側を支持するものであったが、導水管Ｐの中央部や流入口Ｐ１側を支持するものであっても良い。すなわち、被支持部Ｐ３は、流入口Ｐ１よりも吐出口Ｐ２側であれば適宜変更して構わない。
【００４９】
アクチュエータ３０は、伸縮部材３１が伸張位置ａから収縮位置ｂに移動することで導水管Ｐを給水位置Ａから止水位置Ｂに移動させ、伸縮部材３１が収縮位置ｂから伸張位置ａに移動することで導水管Ｐを止水位置Ｂから給水位置Ａに移動させるように構成されていたが、逆の構成でも構わない。
すなわち、アクチュエータ３０は、伸縮部材３１が伸張位置ａから収縮位置ｂに移動することで導水管Ｐを止水位置Ｂから給水位置Ａに移動させ、伸縮部材３１が収縮位置ｂから伸張位置ａに移動することで導水管Ｐを給水位置Ａから止水位置Ｂに移動させるように構成されていても良い。このような具体例としては、図５に示すように、給水装置１００を前記実施形態とは前後逆向きに配置することが考えられる。
また、アクチュエータ３０としては、前記実施形態の電動シリンダには限られず、エアシリンダやラックアンドピニオン機構などを利用したものであっても良い。
【００５０】
さらに、前記実施形態のアーム部材４０は、上方に突出したアーチ状のものであったが、下方に突出したアーチ状のものや、直線状のものであっても良い。
また、前記実施形態のアーム部材４０では、力点箇所４３を作用点箇所４１及び支点箇所４２の間に設定していたが、一端部に設定された作用点箇所４１よりもさらに一端側や、他端部に設定された支点箇所４２よりもさらに他端側に力点箇所４３を設定しても良い。
【００５１】
アーム部材４０の変形例についてより具体的な実施態様について説明すると、図６に示すように、単一のアーム部材４０を用いても良い。アーム部材４０の材質は、例えばアルミニウムや樹脂などの安価で軽量なものが好ましいが、それ以外の材質であっても構わない。
このアーム部材４０は、棒状のものであり、前記実施形態と同様、一端部に作用点箇所４１が設定されるとともに、他端部に支点箇所４２が設定されており、これらの作用点箇所４１及び支点箇所４２の間に力点箇所４３が設定されている。
【００５２】
このように構成された給止水切替機構１０１であれば、単一のアーム部材４０を用いているので、前記実施形態に比べて、安価なものにすることができる。
【００５３】
この図６に示す実施態様では、作用点箇所４１にワイヤやロープなどの紐状部材５０の一端部を取り付けるとともに、この紐状部材５０の他端部を昇降部材２０に取り付けて、作用点箇所４１に昇降部材２０を懸架している。
ここでの昇降部材２０は、前記実施形態の形状とは相違し、筒状をなすものであり、具体的には円筒状のものであるが、四角筒状や多角筒状のものであっても構わない。かかる形状により、この昇降部材２０は、支持面２１に対向するとともに、導水管Ｐを上方から押さえる押さえ面２２を有しており、昇降部材２０が下降する際に押さえ面２２が導水管Ｐを下方に押し下げるように構成されている。
【００５４】
例えば導水管Ｐがビニールホースなどの容易に変形する柔軟な材質からなると、導水管Ｐを昇降部材２０によって下方から支持しているだけでは、給水と止水とを繰り返す中で昇降部材２０を下降させても導水管Ｐが変形したまま降りてこない場合があるところ、上述した構成であれば、昇降部材２０を下降させることで押さえ面２２が導水管Ｐを下方に押し下げるので、導水管Ｐを確実に降ろすことができる。
【００５５】
さらに図６や前記実施形態では、アクチュエータ３０として電動シリンダを利用していたが、図７に示すように、アクチュエータ３０としてモータを利用しても良い。
この実施態様では、アクチュエータ３０たるモータは、ケーシング１０に一体的に設けられており、昇降部材２０に取り付けられた紐状部材５０を巻き取る又は送り出すものである。なお、紐状部材５０は、例えば支柱に設けられて昇降部材２０の上方に位置する滑車などに引っ掛けられている。
かかる構成により、モータ３０が、昇降部材２０に取り付けられた紐状部材５０を巻き取ることで導水管Ｐの被支持部Ｐ３を給水位置Ａから止水位置Ｂに向かって移動し、この紐状部材５０を送り出すことで導水管Ｐの被支持部Ｐ３を止水位置Ｂから給水位置Ａに向かって移動する。
【００５６】
このように紐状部材５０によって昇降部材２０を吊り下げる場合、紐状部材５０を送り出しても昇降部材２０が自重で下降しなければ、紐状部材５０が弛むだけで導水管Ｐは降りていかない。そこで、図７に示す態様では、昇降部材２０に重りを取り付けてある。これにより、紐状部材５０を送り出すことで重りによって昇降部材２０を強制的に下降させることができ、導水管Ｐを確実に降ろすことができる。なお、紐状部材５０の代わりに例えば棒状の弛まない部材によって昇降部材２０を吊り下げれば、昇降部材２０に重りを設けることなく、昇降部材２０を強制的に下降させることができる。
【００５７】
給水装置１００は、地中に埋められる場合や防水などの観点から、全体又は一部が箱体などで覆われていても良い。
また、前記実施形態の給水装置１００は、導水管Ｐとともに用いられるものとして説明したが、給水装置１００が導水管Ｐを備えているものとしても良い。
【００５８】
さらに、本発明に係る給水装置１００は、水田Ｚに給水するためのみならず、例えば畑や庭園などに給水するために用いても良いし、供給する水は開水路Ｌのみならず、例えば貯水タンクやパイプラインを水源としても良い。
【００５９】
その他、本発明は前記実施形態に限られず、その趣旨を逸脱しない範囲で種々の変形が可能であるのは言うまでもない。
【符号の説明】
【００６０】
１００・・・給水装置
１０１・・・給止水切替機構
Ｚ    ・・・水田
Ｌ    ・・・開水路
Ｐ    ・・・導水管
１０  ・・・ケーシング
２０  ・・・昇降部材
３０  ・・・アクチュエータ
３１  ・・・伸縮部材
【図１】
2018093864.tif 000003
【図２】
2018093864.tif 000004
【図３】
2018093864.tif 000005
【図４】
2018093864.tif 000006
【図５】
2018093864.tif 000007
【図６】
2018093864.tif 000008
【図７】
2018093864.tif 000009